(57)【要約】ＧＰＳバンド、ＣＤＭＡバンド及びＰＣＳバンドの信号を受信して該当信号を処理するマルチバンドアンテナを有する移動通信装置を提供する。前記移動通信装置では、ＧＰＳ処理部が第１周波数帯域の信号を受信する。通話信号処理部は前記第１周波数帯域より低い第２周波数帯域の信号及び前記第１周波数帯域より高い第３周波数帯域の信号を入力して復調する。マルチバンドアンテナは前記第１乃至第３周波数帯域を含む多重周波数帯域の信号を送・受信する。前記マルチバンドアンテナと前記ＧＰＳ処理部及び前記通話信号処理部の間に接続された周波数帯域分離部は第１周波数帯域の信号を前記ＧＰＳ処理部へ提供する。制御部は前記ＧＰＳ処理部及び前記通話信号処理部を制御する。
2004522389.tif 000002
【特許請求の範囲】
【請求項１】
マルチバンドアンテナを有する移動通信装置において、
第１周波数帯域の信号を入力して地上測位情報を発生するＧＰＳ（Ｇｌｏｂａｌ Ｐｏｓｉｔｉｏｎｉｎｇ Ｓｙｓｔｅｍ）処理部と、
前記第１周波数帯域より低い第２周波数帯域の信号及び前記第１周波数帯域より高い第３周波数帯域の信号を入力して復調し、送信する信号を変調して前記第２周波数帯域の信号及び前記第３周波数帯域の信号を出力する通話信号処理部と、
前記第１乃至第３周波数帯域の信号に対して相違したインピーダンスを有する第１及び第２ヘリカルコイルが直列接続されてなるデュアルピッチヘリカルアンテナを備え、前記第１乃至第３周波数帯域を含む多重周波数帯域の信号を送・受信するマルチバンドアンテナと、
前記マルチバンドアンテナと前記ＧＰＳ処理部及び前記通話信号処理部の間に接続され、前記第１周波数帯域の信号を前記ＧＰＳ処理部へ提供するとともに、前記第２周波数帯域の信号及び前記第３周波数帯域の信号を前記通話信号処理部へ提供し、前記ＧＰＳ処理部及び前記通話信号処理部から出力される信号を前記マルチバンドアンテナへ印加する周波数帯域分離部と、
前記ＧＰＳ処理部及び前記通話信号処理部を制御する制御部とを備えてなることを特徴とする移動通信装置。
【請求項２】
前記第１周波数帯域は約１．５７ＧＨｚであり、前記第２周波数帯域は約８００〜９００ＭＨｚであり、前記第３周波数帯域は約１．７〜２．０ＧＨｚであることを特徴とする請求項１に記載の移動通信装置。
【請求項３】
前記マルチバンドアンテナは、前記デュアルピッチヘリカルアンテナとホイップアンテナとを結合した伸縮自在タイプのアンテナであることを特徴とする請求項１に記載の移動通信装置。
【請求項４】
前記マルチバンドアンテナは、ＣＤＭＡ／ＰＣＳのデュアルバンドのみならず、ＧＰＳバンドまで受信可能なトリプルバンドアンテナであることを特徴とする請求項１に記載の移動通信装置。
【請求項５】
前記周波数帯域分離部は、
前記マルチバンドアンテナを前記制御部から出力される経路制御信号に応答して前記通話信号処理部又は前記ＧＰＳ処理部に電気的に接続するスイッチと、
前記第２周波数帯域の信号及び前記第３周波数帯域の信号を分離して出力し、前記第２周波数帯域の信号及び前記第３周波数帯域の信号を前記スイッチへ提供する分離器と、
前記分離器から出力される第２及び第３周波数帯域の信号を前記通話信号処理部内のＣＤＭＡ ＲＦ部及びＰＣＳ ＲＦ部へそれぞれ提供するとともに、前記ＣＤＭＡ ＲＦ部及びＰＣＳ ＲＦ部から出力される前記第２及び第３周波数帯域の信号を前記分離器へそれぞれ提供するＣＤＭＡデュプレクサ及びＰＣＳデュプレクサとを備えてなることを特徴とする請求項１に記載の移動通信装置。
【請求項６】
前記分離器は、前記スイッチと前記通話信号処理部との間に接続されることを特徴とする請求項５に記載の移動通信装置。
【請求項７】
前記制御部は、Ｅ９１１モードに応答して所定の時間で前記経路制御信号を前記スイッチへ提供し、前記ＧＰＳ処理部及び前記通話信号処理部を制御することを特徴とする請求項４に記載の移動通信装置。
【請求項８】
前記周波数帯域分離部は、
前記第２周波数帯域より高い周波数帯域の信号と前記第２周波数帯域の信号に前記マルチバンドアンテナの電波経路を通じて受信された信号を分離し、前記第２周波数帯域の信号を前記通話信号処理部内のＣＤＭＡ ＲＦ部へ提供するダイプレクサと、
前記第２周波数帯域より高い周波数帯域の信号を前記第１周波数帯域の信号と前記第３周波数帯域の信号に分離し、前記第１周波数帯域の信号を前記ＧＰＳ処理部へ提供し、入力された第１周波数帯域の信号と第３周波数帯域の信号を合成する分離器と、
前記通話信号処理部内のＣＤＭＡ ＲＦ部へ前記第２周波数帯域の信号を提供するＣＤＭＡデュプレクサと、
前記通話信号処理部内のＰＣＳ ＲＦ部へ前記第３周波数帯域の信号を提供するＰＣＳデュプレクサとを備えてなることを特徴とする請求項１に記載の移動通信装置。
【発明の詳細な説明】
【０００１】
【発明の属する技術分野】
本発明は移動通信装置に係り、特に、携帯用移動通信装置に含まれることができ、相違した周波数帯域で円滑な通信を行うマルチバンドアンテナを有する移動通信装置に関する。
【０００２】
【従来の技術】
携帯用移動通信装置は韓国のみならず、全世界で商業的に著しく進歩してきた。全世界を通じて無線通信システムの進歩で一つの重要な過程はアナログ伝送からディジタル伝送への変化である。かかるディジタル伝送に基づいて現在の個人携帯用移動通信装置はＣＤＭＡ又はＰＣＳモードを共用可能にするデュアル動作モードを有する移動通信装置として開発されている。
【０００３】
さらに、ＦＣＣ（Ｆｅｄｅｒａｌ Ｃｏｍｍｕｎｉｃａｔｉｏｎ Ｃｏｍｍｉｓｓｉｏｎ）のＥ９１１規定に応じて今後の米国型無線端末機にはＧＰＳ（Ｇｌｏｂａｌ Ｐｏｓｉｔｉｏｎ Ｓｙｓｔｅｍ）機能の内蔵が必須的であると予想される。ＦＣＣのＥ９１１ではすべての移動通信端末機に対して位置追跡を可能にする無線測位、例えば、ＧＰＳ衛星による位置追機能を勧告している。したがって、すべての移動通信端末機にはＧＰＳバンド、すなわち、１．５７５ＧＨｚ帯域の信号を受信できるアンテナの装着が必須的に要求される。
【０００４】
ＧＰＳ信号受信機能を有する移動通信装置はチップタイプのＧＰＳアンテナを採用するが、その詳細な構成を調べると次の通りである。
【０００５】
図１は従来の技術によるトリプルバンド受信移動通信装置の構成を示した図である。図１を参照すれば、ＧＰＳバンドの信号又は他のバンドの信号を受信して通信するための移動通信装置１０の構成が開示されている。前記移動通信装置１０は相異なる周波数帯域の信号をそれぞれ選択的に受信する二つのアンテナを備える。
【０００６】
すなわち、デュアルバンドアンテナ１２でＣＤＭＡとＰＣＳバンドの周波数を同調して受信するように具現し、ＧＰＳアンテナ３０ではＧＰＳバンドの周波数を同調して受信するように具現する。前記デュアルバンドアンテナ１２としては三星電子（株）に特許された米国特許番号６，１９８，４４０Ｂ１と韓国特許公開公報第１９９９−００７２６０２号に開示された“無線送受信機のためのデュアルバンドアンテナ”を使用し、前記ＧＰＳアンテナ３０としてはＧＰＳバンドアンテナを使用することができる。
【０００７】
前記デュアルバンドアンテナ１２により受信されたＣＤＭＡ／ＰＣＳバンドの信号は移動通信装置内部の回路とデュアルバンドアンテナ１２のインピーダンスを整合させる整合回路４０を通じて分離器５０に印加される。前記分離器５０はデュアルバンドアンテナ１２を通じて受信されるＣＤＭＡ／ＰＣＳバンドの信号をＣＤＭＡバンドの信号とＰＣＳバンドの信号に分離して各々の出力端子に接続されたＣＤＭＡデュプレクサ６０及びＰＣＳデュプレク７０へ提供する。さらに、分離器５０はＣＤＭＡデュプレクサ６０又はＰＣＳデュプレクサ７０から受信される信号を整合回路４０を通じてデュアルバンドアンテナ１２へ提供する。
【０００８】
前記米国特許と同じ構造のデュアルバンドアンテナ１２を三星電子（株）で生産して販売している移動通信電話機モデルＳＣＨ−８５００に適用して自由空間で収縮及び伸長状態のＣＤＭＡ／ＰＣＳ帯域におけるインピーダンスマッチング状態を実験測定した結果を図２及び図３にそれぞれ示した。この場合、前記インピーダンスは分離器５０とＣＤＭＡ／ＰＣＳデュプレクサ６０，７０との間の接続ノードで測定したものである。前記インピーダンスマッチング状態はＡｇｉｌｅｎｔ社のネットワーク分析器８７５３Ｅを用いて測定した結果を示す。図２及び図３のグラフで縦軸は電圧定在波比（ＶＳＷＲ：Ｖｏｌｔａｇｅ Ｓｔａｎｄｉｎｇ Ｗａｖｅ Ｒａｔｉｏ）を示し、その値は最下位が１であり、上方に行くほど１目盛り当たり１ずつ増加する。さらに、横軸は周波数を示す。“Δ”表示の１〜５地点で測定された周波数とＶＳＷＲはグラフの右側と上部に表示されている。例えば、Δ１地点の周波数は８２４ＭＨｚであり、ＶＳＷＲは１．５３９９である。かかる事項は本明細書でインピーダンスマッチング状態を示した次の図面でも同じである。さらに、前記モデルに適用したデュアルバンドアンテナ１２に対して自由空間のＣＤＭＡ／ＰＣＳ帯域でのアンテナパターンを測定した結果を図５乃至図８に示す。
【０００９】
前記二つのデュプレクサ６０及び７０の各々は前記分離器５０から分離されて出力されるＣＤＭＡ及びＰＣＳバンドの信号を、通話信号処理部を構成するＣＤＭＡ ＲＦ部１１０及びＰＣＳ ＲＦ部１２０へそれぞれ提供するとともに、ＣＤＭＡ ＲＦ部１１０及びＰＣＳ ＲＦ部１２０から出力されるＲＦ信号を前記分離器５０へ提供する。前記ＣＤＭＡ ＲＦ部１１０はＣＤＭＡデュプレクサ６０を通じて受信される信号を変調して制御部９０へ提供するか、制御部９０から入力される送信信号を変調してＣＤＭＡデュプレクサ６０を通じて分離器５０へ提供する。前記ＰＣＳ ＲＦ部１２０はＰＣＳデュプレクサ７０を通じて受信される信号を変調して制御部９０へ提供するか、制御部９０から入力される送信信号をＰＣＳバンドの信号に変調してＰＣＳデュプレクサ７０を通じて分離器５０へ提供する。
【００１０】
前記制御部９０は通常のデュアルモード移動通信装置、例えば、ＣＤＭＡとＰＣＳ兼用携帯電話の制御部機能を含む。したがって、前記制御部９０は前記ＣＤＭＡ ＲＦ部１１０又はＰＣＳ ＲＦ部１２０から受信される信号から音声を再生するか、音声信号をＣＤＭＡ ＲＦ部１１０又はＰＣＳ ＲＦ部１２０へ提供する。
【００１１】
一方、ＧＰＳアンテナ３０に接続されたＧＰＳフィルター８０は受信される信号のうち、ＧＰＳバンドの信号のみを帯域通過フィルタリングして制御部９０内のＧＰＳ信号処理器１００へ提供する。前記ＧＰＳ信号処理器１００は入力されるＧＰＳバンドの信号を復調して３次元の地上測位情報を発生する。
【００１２】
前記製品モデルＳＣＨ−８５００に前記ＧＰＳアンテナ３０をＧＰＳチップアンテナとして適用して自由空間状態でのＧＰＳバンドインピーダンスマッチングデータ及び収縮状態のアンテナパターンを測定した結果を図４及び図９に示す。
【００１３】
しかし、図１のような構成を有する従来の移動通信装置はＧＰＳバンドの信号を受信するために別途のＧＰＳアンテナ３０を備えるので、移動通信装置の構成が複雑になるという問題点がある。
【００１４】
【発明が解決しようとする課題】
従って、本発明の目的は、少なくとも三つの相異なるバンドの信号を円滑に受信できるアンテナ構造を有する移動通信装置を提供することにある。
【００１５】
本発明の他の目的は、ＣＤＭＡ／ＰＣＳ又はＧＰＳバンドの信号を損失無しに受信できるデュアルヘリカル構造の一体型アンテナを採用した携帯用移動通信装置を提供することにある。
【００１６】
本発明のさらに他の目的は、デュアルピッチヘリカル（ｄｕａｌ ｐｉｔｃｈ ｈｅｌｉｃａｌ）アンテナの固定タイプ又はホイップ（ｗｈｉｐ）アンテナと結合した伸縮自在タイプ（ｒｅｔｒａｃｔａｂｌｅ ｔｙｐｅ）から構成されて多重周波数帯域で有効に動作するトリプルバンドアンテナの信号を相違した周波数帯域に分離するスイッチ素子を用いて相違した周波数帯域のアンテナ信号を有効に処理する移動通信装置を提供することにある。
【００１７】
【課題を解決するための手段】
前記目的を達成するための本発明の移動通信装置は、第１周波数帯域の信号を入力して地上測位情報を発生するＧＰＳ処理部と、前記第１周波数帯域より低い第２周波数帯域の信号及び前記第１周波数帯域より高い第３周波数帯域の信号を入力して復調し、送信する信号を変調して前記第２周波数帯域の信号及び前記第３周波数帯域の信号を出力する通話信号処理部と、前記第１乃至第３周波数帯域の信号に対して相違したインピーダンスを有する第１及び第２ヘリカルコイルが直列接続されてなるデュアルピッチヘリカルアンテナを備え、前記第１乃至第３周波数帯域を含む多重周波数帯域の信号を送・受信するマルチバンドアンテナと、前記マルチバンドアンテナと前記ＧＰＳ処理部及び前記通話信号処理部の間に接続され、前記第１周波数帯域の信号を前記ＧＰＳ処理部へ提供するとともに、前記第２周波数帯域の信号及び前記第３周波数帯域の信号を前記通話信号処理部へ提供し、前記ＧＰＳ処理部及び前記通話信号処理部から出力される信号を前記マルチバンドアンテナへ印加する周波数帯域分離部と、前記ＧＰＳ処理部及び前記通話信号処理部を制御する制御部とを備えてなることを特徴とする。
【００１８】
前記マルチバンドアンテナは前記デュアルピッチヘリカルアンテナとホイップアンテナとを結合した伸縮自在タイプのアンテナであることが好ましい。さらに、前記マルチバンドアンテナはＣＤＭＡ／ＰＣＳのデュアルバンドのみならず、ＧＰＳバンドまで受信可能なトリプルバンドアンテナであることが好ましい。
【００１９】
前記周波数帯域分離部は、前記マルチバンドアンテナを前記制御部から出力される経路制御信号に応答して前記通話信号処理部又は前記ＧＰＳ処理部に電気的に接続するスイッチと、前記第２周波数帯域の信号及び前記第３周波数帯域の信号を分離して出力し、前記第２周波数帯域の信号及び前記第３周波数帯域の信号を前記スイッチへ提供する分離器と、前記分離器から出力される第２及び第３周波数帯域の信号を前記通話信号処理部内のＣＤＭＡ ＲＦ部及びＰＣＳ ＲＦ部へそれぞれ提供するとともに、前記ＣＤＭＡ ＲＦ部及びＰＣＳ ＲＦ部から出力される前記第２及び第３周波数帯域の信号を前記分離器へそれぞれ提供するＣＤＭＡデュプレクサ及びＰＣＳデュプレクサとを備えてなる。
【００２０】
前記制御部はＥ９１１モードに応答して所定の時間で前記経路制御信号を前記スイッチへ提供し、前記ＧＰＳ処理部及び前記通話信号処理部を制御する。
【００２１】
さらに、本発明の他の側面によれば、前記周波数帯域分離部は、前記第２周波数帯域より高い周波数帯域の信号と前記第２周波数帯域の信号に前記マルチバンドアンテナの電波経路を通じて受信された信号を分離し、前記第２周波数帯域の信号を前記通話信号処理部内のＣＤＭＡ ＲＦ部へ提供するダイプレクサと、前記第２周波数帯域より高い周波数帯域の信号を前記第１周波数帯域の信号と前記第３周波数帯域の信号に分離し、前記第１周波数帯域の信号を前記ＧＰＳ処理部へ提供し、入力された第１周波数帯域の信号と第３周波数帯域の信号を合成する分離器と、前記通話信号処理部内のＣＤＭＡ ＲＦ部へ前記第２周波数帯域の信号を提供するＣＤＭＡデュプレクサと、前記通話信号処理部内のＰＣＳ ＲＦ部へ前記第３周波数帯域の信号を提供するＰＣＳデュプレクサとを備えてなる。
【００２２】
上述したように構成された移動通信装置では、デュアルピッチヘリカルのヘリカルコイルの各ピッチ及びターン回数を適宜に調節して所望の二つ以上の共振周波数帯域を得るマルチバンドアンテナを具現し、周波数帯域分離部はＣＤＭＡ／ＰＣＳ通話信号、ＧＰＳ信号又はＣＤＭＡ信号のような低周波数帯域とＧＰＳ／ＰＣＳ信号のような高周波数帯域の信号に分離することにより、デュアルバンド（ＣＤＭＡ／ＰＣＳ）通信サービスのみならず、Ｅ９１１サービスの実行を可能にする。さらに、一つのアンテナを通じて相異なる帯域の周波数を受信して移動通信装置の構成をコンパクトに製作することができる。
【００２３】
【発明の実施の形態】
以下、本発明の好適な実施例によるマルチバンドアンテナを有する移動通信装置を添付図面に参照して詳細に説明する。下記の説明において、本発明の要旨のみを明瞭にするために公知の機能及び構成に対する詳細な説明は省略する。
【００２４】
図１０は本発明の好ましい第１実施例によるマルチバンドアンテナを有する移動通信装置の構成を示した図である。図１０を参照すれば、移動通信装置１０のハウジングにはマルチバンドアンテナ１２が結合されている。さらに、前記マルチバンドアンテナ１２は整合回路４０に接続されており、前記整合回路４０の他の一側は周波数帯域分離部／合成部の電波経路スイッチ（以下、“スイッチ”という）に接続されている。前記周波数帯域分離部は前記スイッチ４５、分離器５０、ＣＤＭＡデュプレクサ６０及びＰＣＳデュプレクサ７０から構成される。
【００２５】
図１０に示したマルチバンドアンテナ１２はデュアルピッチヘリカル（Ｄｕａｌ Ｐｉｔｃｈ Ｈｅｌｉｃａｌ）アンテナ１４を単独使用して固定タイプとして具現するか、ホイップアンテナ２５と結合して伸縮自在タイプとして具現することもできる。本発明の実施例では伸縮自在タイプを示す。
【００２６】
図１０に示したマルチバンドアンテナ１２は、デュアルピッチヘリカルアンテナ１４を構成するヘリカルコイル１６，１８のコイルピッチ、ターン回数及びホイップアンテナ２５の長さを調整して三つの周波数帯域で動作するように具現した。前記デュアルピッチヘリカルアンテナ１４のうち、上部に位置する第１ヘリカルコイル１６のピッチは小さく、下部に位置する第２ヘリカルコイル１８のピッチは大きい。前記第１ヘリカルコイル１６のピッチを適宜に小さく調節することにより、高周波数帯域、例えば、第１周波数帯域（１．５７５ＧＨｚ＝ＧＰＳバンド）又は第１周波数帯域より高い周波数帯域である第３周波数帯域（１．７〜２．０ＧＨｚ＝ＰＣＳバンド）では非常に大きいインピーダンス（Ｉｍｐｅｄａｎｃｅ）を有する。この場合、第１ヘリカルコイル１６の部分には電流が流れず、高周波数帯域では第２ヘリカルコイル１８の部分のみがアンテナとしての動作を行う。
【００２７】
しかし、低周波数帯域、例えば、第２周波数帯域（８００〜９００ＭＨｚ）では第１ヘリカルコイル１６のインピーダンスがあまり大きくないため、第１及び第２ヘリカルコイル１６，１８の部分が両方ともアンテナとして動作を行う。したがって、第２周波数帯域では大きいピッチを有するヘリカルコイル１８のみならず、小さいピッチを有するヘリカルコイル１６もアンテナとして動作を行う。前記デュアルピッチヘリカルアンテナ１４を構成するヘリカルコイル１６，１８のピッチ及びターン回数を適宜に調整すると、所望の二つの共振周波数帯域を得る。この際、前記第２ヘリカルコイル１８のピッチを適宜に大きく調節することにより、１．５〜２．０ＧＨｚの広い共振周波数帯域を得ることができる。すなわち、このように具現されたマルチバンドアンテナ１２はＣＤＭＡバンド（８００〜９００ＭＨｚ）、ＧＰＳバンド（１．５７５ＧＨｚ）、ＰＣＳバンド（１．７〜２．０ＧＨｚ）などの三つのハンドで動作する。
【００２８】
前記マルチバンドアンテナ１２から受信された広帯域の周波数信号は整合回路４０を通じてスイッチ４５へ印加される。前記スイッチ４５は両方向スイッチであって、制御信号９２の入力に対応して整合回路４０と分離器／合成器５０を連結するか、整合回路４０とＧＰＳフィルター８０を選択的にスイッチング接続する能動スイッチである。
【００２９】
平常時に前記制御信号９２は整合回路４０と分離器５０とを連結するように制御部９０から提供される。したがって、平常時は整合回路４０によりインピーダンスがマッチングされた広帯域の周波数信号は分離器／合成器５０へ提供されて第２周波数帯域の信号と第１周波数帯域より高い周波数帯域の信号にそれぞれ分離されて出力ノードに接続されたＣＤＭＡデュプレクサ６０及びＰＣＳデュプレクサ７０へ提供される。
【００３０】
前記ＣＤＭＡデュプレクサ６０及びＰＣＳデュプレクサ７０の各々は通常のデュプレクサのように送信及び受信信号を分離し、ＣＤＭＡ ＲＦ部１１０又はＰＣＳ ＲＦ部１２０と前記分離器５０との送信及び受信信号を分離する。さらに、図１０に示した構成を有するデュアルモードの移動通信装置、例えば、ＣＤＭＡ又はＰＣＳモードで動作する携帯電話などは、通常のデュアルモードのうち、一つの動作モードに設定されて動作する。したがって、図１０に示した構成を有する移動通信装置では、通常のデュアルモード（ＣＤＭＡ／ＰＣＳモード）フォンのように制御部９０によりＣＤＭＡ又はＰＣＳモードのうち、いずれか一つを選択して音声／データの送・受信を行う。
【００３１】
上述した動作状態から、使用者によりＥ９１１モードが設定されると、制御部９０から出力される電波経路制御信号９２が遷移される。例えば、論理“ロー（ＬＯＷ）”から“ハイ（ＨＩＧＨ）”に遷移される。この際、前記スイッチ４５は前記遷移された電波経路制御信号９２に応答して整合回路４０をＧＰＳフィルター８０に接続させる。前記ＧＰＳフィルター８０は１．５７ＧＨｚ帯域の信号をフィルタリングして第１、第２及び第３周波数帯域の信号のうち、第１周波数帯域の信号のみをＧＰＳ信号処理器１００へ提供する。
【００３２】
前記ＧＰＳ信号処理器１００は入力されるＧＰＳバンドの信号を受信して地上測位情報を制御部９０へ提供する。その後、前記制御部９０は前記電波経路制御信号９２を再び遷移させた後、ＣＤＭＡモード又はＰＣＳモードのうち、現在の動作モードに応じてＣＤＭＡ ＲＦ部１１０又はＰＣＳ ＲＦ部１２０を通じてＥ９１１センターへ前記地上測位情報を送信して移動通信装置の位置情報を送信する。かかる動作によりＣＤＭＡ又はＰＣＳモードのみならず、Ｅ９１１モードまで完全に行うことができる。
【００３３】
上述した構成を有するマルチバンドアンテナ１２を本発明の出願人（三星電子（株））が生産して販売しているモデルＳＣＨ−８５００に適用して実験した結果、ＣＤＭＡ／ＰＣＳバンドは自由空間でのインピーダンスマッチング状態が上述した米国特許番号６，１９８，４４０Ｂ１と韓国特許公開公報第１９９９−００７２６０２号に開示されたデュアルバンドアンテナのものと大きな差はなかった。この結果を図１１及び図１２に示す。
【００３４】
さらに、ＧＰＳバンドも自由空間収縮及び伸長状態のインピーダンスマッチング状態がＧＰＳチップアンテナと大きな差はなかった。これは図１３、図１４と図４を比較すると、容易にわかることができる。実際では、本発明によるマルチバンドアンテナは２．５以下の定在波比（ＶＳＷＲ）を有するが、これは既存のデュアルバンドアンテナに比べて同等以上の状態を示す。
【００３５】
さらに、アンテナ利得測定結果も問題がないと前記実験からわかる。自由空間収縮及び伸長状態でのアンテナパターンを測定した結果、ＣＤＭＡ／ＰＣＳバンドは図１５乃至図１７に示したように、既存のデュアルバンドアンテナと殆ど同じであった。ＧＰＳバンドも本発明によるマルチバンドアンテナの自由空間収縮及び伸長状態でのアンテナパターンは図１９及び図２０のようにＧＰＳチップアンテナのものと殆ど同じであり、伸長状態は最も良好であった。
【００３６】
図２１は本発明の好ましい第２実施例によるマルチバンドアンテナを有する移動通信装置の構成を示した図である。図１０に示した移動通信システムとは異なり、能動スイッチの代わりにダイプレクサ（ｄｉｐｌｅｘｅｒ）４７のような受動スイッチを使用する。このように受動で動作するダイプレクサ４７を使用する場合、ダイプレクサの特性上、低周波数帯域信号（８００〜９００ＭＨｚ）と高周波数帯域信号（１．５７〜２．０ＧＨｚ）の信号をそれぞれ通過させるので、優先的に三つの信号のうち、所望の一つを分離することができる。その後、残り二つの信号は分離器５０を用いて分離させる。
【００３７】
受動素子であるダイプレクサ４７を使用する場合、図２１に示したように、低周波数帯域であるＣＤＭＡバンドと高周波数帯域であるＧＰＳ／ＰＣＳバンドを一時的に分離した後、分離器５０を用いてＧＰＳバンドとＰＣＳバンドを分離する。
【００３８】
したがって、能動スイッチ４５を使用する場合とは異なり、制御部９０から出力される電波経路制御信号９２を使用せず、ＣＤＭＡ又はＰＣＳ通話信号とＧＰＳ信号を相異なる経路に分離して該当周波数をＧＰＳフィルター８０、ＣＤＭＡデュプレクサ６０及びＰＣＳデュプレクサ７０へ提供するということがわかる。その他の動作は図１０の動作と同じである。
【００３９】
図２１に示したように受動素子を用いて三種のバンドに対する周波数帯域の信号を分離する場合でも、図１１乃至図２０のような実験結果を得ることができる。
【００４０】
上述した実施例ではＣＤＭＡとＰＣＳモードのデュアルモードの移動通信装置にＧＰＳ情報処理機能を付加した場合を例示したが、この分野における通常の知識を持つ者なら、類似した場合にも適用できるということも注意すべきである。例えば、ＧＳＭ（Ｇｌｏｂａｌ Ｓｙｓｔｅｍ ｆｏｒ Ｍｏｂｉｌｅ Ｃｏｍｍｕｎｉｃａｔｉｏｎｓ）／ＧＰＳ（Ｇｌｏｂａｌ Ｐｏｓｉｔｉｏｎｉｎｇ Ｓｙｓｔｅｍ）／ＤＣＳ（Ｄｉｇｉｔａｌ Ｃｅｌｌｕｌａｒ Ｓｙｓｔｅｍ）モードを処理する機能を有する移動通信装置を具現することができる。
【００４１】
【発明の効果】
上述したように、本発明は一つのアンテナを用いて周波数帯域の相違した多数のＧＰＳ、ＣＤＭＡ及びＰＣＳバンドの信号を送・受信できるので、Ｅ９１１モードを有する移動通信装置をよりコンパクトに具現することができる。
【００４２】
以上、本発明を特定の実施例を参照して説明したが、各種の変形が特許請求の範囲により定められる本発明の範囲を逸脱しない限り、該当技術分野における通常の知識を持つ者により可能なのは明らかである。
【図面の簡単な説明】
【図１】従来の技術によるトリプルバンド受信移動通信装置の構成を示した図である。
【図２】図１に示したデュアルバンドアンテナを使用した自由空間収縮及び伸長状態でのインピーダンスマッチング状態を示した図である。
【図３】図１に示したデュアルバンドアンテナを使用した自由空間収縮及び伸長状態でのインピーダンスマッチング状態を示した図である。
【図４】図１に示したＧＰＳチップアンテナを使用した自由空間状態でのＧＰＳバンドインピーダンスマッチング状態を示した図である。
【図５】図１に示したデュアルバンドアンテナを使用した自由空間収縮及び伸長状態でのＣＤＭＡバンドアンテナパターンを示した図である。
【図６】図１に示したデュアルバンドアンテナを使用した自由空間収縮及び伸長状態でのＣＤＭＡバンドアンテナパターンを示した図である。
【図７】図１に示したデュアルバンドアンテナを使用した自由空間収縮及び伸長状態でのＰＣＳバンドアンテナパターンを示した図である。
【図８】図１に示したデュアルバンドアンテナを使用した自由空間収縮及び伸長状態でのＰＣＳバンドアンテナパターンを示した図である。
【図９】図１に示したＧＰＳチップアンテナを使用した自由空間状態でのＧＰＳバンドアンテナパターンを示した図である。
【図１０】本発明の好ましい第１実施例によるマルチバンドアンテナを有する移動通信装置の構成を示した図である。
【図１１】図１０に示したマルチバンドアンテナを使用した自由空間収縮及び伸長状態でのインピーダンスマッチング状態を示した図である。
【図１２】図１０に示したマルチバンドアンテナを使用した自由空間収縮及び伸長状態でのインピーダンスマッチング状態を示した図である。
【図１３】図１０に示したマルチバンドアンテナを使用した自由空間収縮及び伸長状態でのＧＰＳバンドインピーダンスマッチング状態を示した図である。
【図１４】図１０に示したマルチバンドアンテナを使用した自由空間収縮及び伸長状態でのＧＰＳバンドインピーダンスマッチング状態を示した図である。
【図１５】図１０に示したマルチバンドアンテナを使用した自由空間収縮及び伸長状態でのＣＤＭＡバンドアンテナパターンを示した図である。
【図１６】図１０に示したマルチバンドアンテナを使用した自由空間収縮及び伸長状態でのＣＤＭＡバンドアンテナパターンを示した図である。
【図１７】図１０に示したマルチバンドアンテナを使用した自由空間収縮及び伸長状態でのＰＣＳバンドアンテナパターンを示した図である。
【図１８】図１０に示したマルチバンドアンテナを使用した自由空間収縮及び伸長状態でのＰＣＳバンドアンテナパターンを示した図である。
【図１９】図１０に示したマルチバンドアンテナを使用した自由空間収縮及び伸長状態でのＧＰＳバンドアンテナパターンを示した図である。
【図２０】図１０に示したマルチバンドアンテナを使用した自由空間収縮及び伸長状態でのＧＰＳバンドアンテナパターンを示した図である。
【図２１】本発明の好ましい第２実施例によるマルチバンドアンテナを有する移動通信装置の構成を示した図である。
【符号の説明】
１０      移動通信装置
１２      マルチバンドアンテナ
１４      デュアルピッチヘリカルアンテナ
１６      第１ヘリカルコイル
１８      第２ヘリカルコイル
２５      ホイップアンテナ
４０      整合回路
４５      スイッチ
５０      分離器
６０      ＣＤＭＡデュプレクサ
７０      ＰＣＳデュプレクサ
８０      ＧＰＳフィルター
９０      制御部
９２      制御信号
１００    ＧＰＳ信号処理器
１１０    ＣＤＭＡ ＲＦ部
１２０    ＰＣＳ ＲＦ部
【国際公開パンフレット】
2004522389.tif 000003
2004522389.tif 000004
2004522389.tif 000005
2004522389.tif 000006
2004522389.tif 000007
2004522389.tif 000008
2004522389.tif 000009
2004522389.tif 000010
2004522389.tif 000011
2004522389.tif 000012
2004522389.tif 000013
2004522389.tif 000014
2004522389.tif 000015
2004522389.tif 000016
2004522389.tif 000017
2004522389.tif 000018
2004522389.tif 000019
2004522389.tif 000020
2004522389.tif 000021
2004522389.tif 000022
2004522389.tif 000023
2004522389.tif 000024
2004522389.tif 000025
2004522389.tif 000026
2004522389.tif 000027
2004522389.tif 000028
2004522389.tif 000029
2004522389.tif 000030
2004522389.tif 000031
2004522389.tif 000032
2004522389.tif 000033
2004522389.tif 000034
2004522389.tif 000035
2004522389.tif 000036
2004522389.tif 000037
2004522389.tif 000038
2004522389.tif 000039
2004522389.tif 000040
【国際調査報告】
2004522389.tif 000041